(57)【要約】【課題】ねじ回りで擦り傷の露出を回避することができるねじ受け部材を提供する。【解決手段】部材には雄ねじ部材２５の軸部の進入を受け入れる貫通孔が区画される。貫通孔の開口から外側に向かって平坦面が広がる。平坦面には、軸部の軸心回りに雄ねじ部材のねじ頭２５の外縁で描かれる環状軌跡３１の内側からその環状軌跡３１の外側まで広がる環状溝２９が区画される。環状溝２９の働きで、雄ねじの回転中にねじ頭２５の外縁と部材との接触は確実に回避されることができる。ねじ頭２５の外縁に基づき擦り傷が発生することは阻止されることができる。雄ねじ部材の装着にも拘わらず、部材の見栄えは良好に維持されることができる。【選択図】図４
2006037994.tif 000002
【特許請求の範囲】
【請求項１】
雄ねじ部材の軸部の進入を受け入れる取り付け孔と、取り付け孔の開口から外側に向かって広がる平坦面と、この平坦面に形成され、軸部の軸心回りに雄ねじ部材のねじ頭の外縁で描かれる環状軌跡の内側からその環状軌跡の外側まで広がる窪みとが区画されることを特徴とする部材。
【請求項２】
ねじ頭を受け止める平坦面と、ねじ頭の外縁に沿って平坦面に形成される環状溝とが区画されることを特徴とする部材。
【請求項３】
少なくとも部分的に雄ねじを有する軸部材の進入を受け入れる取り付け孔と、取り付け孔の開口から外側に向かって広がり、軸部材から遠心方向に突き出る鍔部材を受け止める平坦面と、鍔部材の外縁に沿って平坦面に形成される環状溝とが区画されることを特徴とする部材。
【請求項４】
雄ねじと、雄ねじの軸部を受け入れる取り付け孔を区画し、取り付け孔の開口から外側に向かって広がる平坦面で雄ねじのねじ頭を受け止める筐体と、少なくとも部分的に筐体の内側に配置され、雄ねじの軸部を受け入れる雌ねじを有する組み込み部品とを備え、筐体の平坦面には、軸部の軸心回りに雄ねじ部材のねじ頭の外縁で描かれる環状軌跡の内側からその環状軌跡の外側まで広がる窪みが形成されることを特徴とする電子機器。
【請求項５】
筐体と、筐体の平坦面にねじ込まれて、筐体の平坦面で受け止められるねじ頭を区画する雄ねじと、ねじ頭の外縁に沿って平坦面に形成される環状溝とを備えることを特徴とする電子機器。
【発明の詳細な説明】
【技術分野】
【０００１】
本発明は、少なくとも部分的に雄ねじを有する軸部材の進入を受け入れる取り付け孔と、取り付け孔の開口から外側に向かって広がり、軸部材から遠心方向に突き出る鍔部材を受け止める平坦面とを備えるねじ受け部材に関する。
【背景技術】
【０００２】
一般に、コンピュータにはディスプレイ装置が接続される。こういった接続にあたって例えばＶＧＡ（ビデオグラフィックスアレイ）コネクタやＳＶＧＡ（スーパーＶＧＡ）コネクタ、ＸＧＡ（エクステンデッドグラフィックスアレイ）コネクタ、ＳＸＧＡ（スーパーＸＧＡ）コネクタといったグラフィックス用コネクタが用いられる。例えば雄コネクタはコンピュータの筐体内に組み込まれる。筐体の外側には雄コネクタのソケットが突き出る。雄コネクタのシェルは、筐体の外側からねじ込まれる穴付き六角ボルトで筐体に固定される。
【特許文献１】特開平６−１９３６２６号公報
【特許文献２】実開平６−４３３２０号公報
【発明の開示】
【発明が解決しようとする課題】
【０００３】
六角ボルトがねじ込まれる際に、六角ボルトの鍔部材すなわちねじ頭は筐体の表面に擦りつけられる。ねじ頭の外縁に基づき筐体の表面には擦り傷が刻まれる。六角形の角部すなわち最大径の外縁で描かれた擦り傷はねじ頭で完全に覆われることはできない。最大径以外の外縁の外側で露出してしまう。こういった擦り傷に基づき筐体の見栄えは悪化する。
【０００４】
本発明は、上記実状に鑑みてなされたもので、ねじ回りで擦り傷の露出を回避することができるねじ受け部材を提供することを目的とする。本発明は、そういったねじ受け部材を使用した電子機器を提供することを目的とする。
【課題を解決するための手段】
【０００５】
上記目的を達成するために、第１発明によれば、雄ねじ部材の軸部の進入を受け入れる取り付け孔と、取り付け孔の開口から外側に向かって広がる平坦面と、この平坦面に形成され、軸部の軸心回りに雄ねじ部材のねじ頭の外縁で描かれる環状軌跡の内側からその環状軌跡の外側まで広がる窪みとが区画されることを特徴とする部材が提供される。
【０００６】
雄ねじ部材の軸部が十分に取り付け孔に進入すると、雄ねじ部材のねじ頭は窪みの内側で平坦面に受け止められる。たとえねじ頭の回転に基づき特定の範囲で平坦面に擦り傷が生成されても、こういった擦り傷はねじ頭に完全に覆われる。擦り傷の露出は確実に回避される。しかも、窪みの働きで、雄ねじの回転中にねじ頭の外縁と部材との接触は確実に回避されることができる。したがって、ねじ頭の外縁に基づき擦り傷が発生することは阻止されることができる。雄ねじ部材の装着にも拘わらず、部材の見栄えは良好に維持されることができる。
【０００７】
窪みは軸部の軸心回りに環状に延びればよい。こうして窪みが途切れなく取り付け孔を囲めば、雄ねじの回転中にねじ頭の外縁と部材との接触は確実に回避されることができる。
【０００８】
窪みの外側で平坦面に穿たれて、雄ねじ部材に基づき固定されるコネクタの進入を受け入れる受け入れ口をさらに備えてもよい。こういった部材は例えば電子機器の筐体に利用されることができる。このとき、電子機器は、雄ねじと、雄ねじの軸部を受け入れる取り付け孔を区画し、取り付け孔の開口から外側に向かって広がる平坦面で雄ねじのねじ頭を受け止める筐体と、少なくとも部分的に筐体の内側に配置され、雄ねじの軸部を受け入れる雌ねじを有する組み込み部品とを備えればよい。コネクタといった組み込み部品は雄ねじの働きで筐体に固定されればよい。
【０００９】
第２発明によれば、ねじ頭を受け止める平坦面と、ねじ頭の外縁に沿って平坦面に形成される環状溝とが区画されることを特徴とする部材が提供される。
【００１０】
こういった部材では、環状溝の働きで、ねじ頭の外縁と部材との接触は確実に回避されることができる。したがって、ねじ頭の外縁に基づき擦り傷が発生することは阻止されることができる。部材の見栄えは良好に維持されることができる。
【００１１】
第３発明によれば、少なくとも部分的に雄ねじを有する軸部材の進入を受け入れる取り付け孔と、取り付け孔の開口から外側に向かって広がる平坦面と、この平坦面に形成され、軸部材から遠心方向に突き出る鍔部材の外縁に基づき軸部材の軸心回りに描かれる環状軌跡の内側からその環状軌跡の外側まで広がる窪みとが区画されることを特徴とする部材が提供される。
【００１２】
軸部材が取り付け孔に進入すると、鍔部材は窪みの内側で平坦面に受け止められる。たとえ鍔部材の回転に基づき特定の範囲で平坦面に擦り傷が生成されても、こういった擦り傷は鍔部材に完全に覆われる。擦り傷の露出は確実に回避される。しかも、窪みの働きで、鍔部材の回転中に鍔部材の外縁と部材との接触は確実に回避されることができる。したがって、鍔部材の外縁に基づき擦り傷が発生することは阻止されることができる。部材の見栄えは良好に維持されることができる。鍔部材は例えばボルトのねじ頭やボルトに結合されるナットであればよい。ここでは、前述と同様に、窪みは軸部材の軸心回りに環状に延びればよい。
【００１３】
第４発明によれば、少なくとも部分的に雄ねじを有する軸部材の進入を受け入れる取り付け孔と、取り付け孔の開口から外側に向かって広がり、軸部材から遠心方向に突き出る鍔部材を受け止める平坦面と、鍔部材の外縁に沿って平坦面に形成される環状溝とが区画されることを特徴とする部材が提供される。
【００１４】
こういった部材では、環状溝の働きで、鍔部材の外縁と部材との接触は確実に回避されることができる。したがって、鍔部材の外縁に基づき擦り傷が発生することは阻止されることができる。部材の見栄えは良好に維持されることができる。前述と同様に、鍔部材はボルトのねじ頭やボルトに結合されるナットであればよい。
【００１５】
こういった部材は例えば電子機器の筐体に利用されることができる。このとき、電子機器は、筐体と、筐体の平坦面にねじ込まれて、筐体の平坦面で受け止められるねじ頭を区画する雄ねじと、ねじ頭の外縁に沿って平坦面に形成される環状溝とを備えればよい。
【発明の効果】
【００１６】
以上のように本発明によれば、ねじ回りで擦り傷の露出を回避することができるねじ受け部材は提供されることができる。同様に、そういったねじ受け部材を使用した電子機器は提供されることができる。
【発明を実施するための最良の形態】
【００１７】
以下、添付図面を参照しつつ本発明の一実施形態を説明する。
【００１８】
図１は本発明の一実施形態に係る電子機器すなわちノートブックパーソナルコンピュータ（以下「ノートパソコン」という）１１の外観を概略的に示す。このノートパソコン１１は、例えばマザーボードを収容する本体筐体１２を備える。マザーボード上には例えばＣＰＵ（中央演算処理装置）やメモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１２内に収容されるハードディスク駆動装置（ＨＤＤ）といった大容量記憶装置に格納されればよい。
【００１９】
本体筐体１２にはキーボード１３やポインティングデバイス１４といった入力装置が組み込まれる。こういった入力装置１３、１４の働きでノートパソコン１１の使用者はＣＰＵに向けて様々な指令やデータを入力することができる。ポインティングデバイス１４には例えばタッチパッドが利用されればよい。
【００２０】
本体筐体１２にはディスプレイ装置１５が連結される。このディスプレイ装置１５は、例えば液晶ディスプレイ（ＬＣＤ）パネル１６といった平面ディスプレイパネルを収容するディスプレイ用筐体１７を備える。ディスプレイ用筐体１７は、本体筐体１２の一端に設定される回転軸１８回りで回転自在に本体筐体１２に結合される。こうしてディスプレイ用筐体１７は本体筐体１２に対して相対的に回転移動することができる。こういった回転移動に基づきディスプレイ装置１５は本体筐体１２に重ね合わせられることができる。液晶ディスプレイパネル１６の画面には、ＣＰＵの演算処理や入力装置１３、１４の操作に基づき様々なテキストやグラフィックスが表示されることができる。
【００２１】
本体筐体１２には例えば任意のグラフィックスアレイ規格に則ったコネクタ１９が取り付けられる。こういったコネクタ１９には、例えばＶＧＡ（ビデオグラフィックスアレイ）コネクタやＳＶＧＡ（スーパーＶＧＡ）コネクタ、ＸＧＡ（エクステンデッドグラフィックスアレイ）コネクタ、ＳＸＧＡ（スーパーＸＧＡ）コネクタが含まれる。こういったコネクタ１９の働きでマザーボードにはディスプレイ装置１５以外にいわゆる外部ディスプレイ装置（図示されず）が接続されることができる。コネクタ１９の配置にあたって本体筐体１２の外壁面にはコネクタ１９を収容する窪みが形成される。
【００２２】
コネクタ１９は、本体筐体１２の外表面から突き出るソケット２１を備える。図２に示されるように、ソケット２１は、例えば本体筐体１２の外表面から起立する囲い壁で構成される。囲い壁は例えば金属といった導電材料から成形されればよい。ソケット２１内には樹脂部材２２が組み込まれる。この樹脂部材２２には複数のピン受け穴２３、２３…が穿たれる。ピン受け穴２３の内周面には例えば導電膜が固定される。こういった導電膜は電極として機能する。ピン受け穴２３すなわち電極は所定の規格に従って配置されればよい。
【００２３】
本体筐体１２には１対の雄ねじすなわち穴付き六角ボルト（ねじ）２４がねじ込まれる。後述されるように、六角ボルト２４はねじ部すなわち軸部でコネクタ１９に結合される。こうしてコネクタ１９は本体筐体１２に対して固定される。六角ボルト２４のねじ頭２５には、六角ボルト２４の軸心に沿って軸部に向かって延びる有底穴２６が形成される。この有底穴２６には雌ねじが刻まれる。六角ボルト２４の有底穴２６は、後述されるように、雄ねじの進入を受け入れることができる。
【００２４】
図３に示されるように、本体筐体１２には１対の円柱形の取り付け孔すなわち貫通孔２８が形成される。個々の貫通孔２８には六角ボルト２４の軸部が受け入れられる。貫通孔２８の周囲には環状の窪みすなわち環状溝２９が形成される。環状溝２９は貫通孔２８に同心に円を描けばよい。こういった環状溝２９の内側で本体筐体１２の外表面は六角ボルト２４のねじ頭２５を受け止める。
【００２５】
図４に示されるように、環状溝２９はねじ頭２５の外縁に沿って延びる。すなわち、環状溝２９は、軸部の軸心ＣＸ回りに六角ボルト２４のねじ頭２５の外縁で描かれる環状軌跡３１の内縁の内側からその環状軌跡３１の外縁の外側まで広がる。環状軌跡３１の外縁すなわち最大径は六角形の角部２５ａ、２５ａ…で描き出される。環状軌跡３１の内縁すなわち最小径は角部２５ａ、２５ａ同士の中間位置２５ｂの外縁で描き出される。こうしてねじ頭２５の外縁と本体筐体１２の外表面との接触は完全に回避される。
【００２６】
図５に示されるように、本体筐体１２の外表面では、個々の貫通孔２８の開口から外側に向かって平坦面３２が広がる。こういった平坦面３２に環状溝２９は形成される。１対の貫通孔２８の間で環状溝２９の外側では受け入れ口３３が区画される。受け入れ口３３は本体筐体１２の外壁を貫通する。コネクタ１９のコネクタ本体３４が本体筐体１２の外壁に内側から重ね合わせられると、コネクタ１９のソケット２１は受け入れ口３３に進入する。貫通孔２８の軸心は、平坦面３２を含む１仮想平面に直交する。
【００２７】
コネクタ本体３４には雌ねじ３６が刻まれる。この雌ねじ３６に六角ボルト２４の軸部は受け入れられる。図５から明らかなように、六角ボルト２４のねじ頭２５は、軸部すなわち軸部材から遠心方向に突き出る鍔部材を構成する。図６から明らかなように、コネクタ１９は、本体筐体１２内で固定される基板３８上に搭載されればよい。
【００２８】
いま、例えば図７に示されるように、コネクタ１９すなわち雄コネクタに相手方のコネクタすなわち雌コネクタ４１が接続される場面を想定する。雌コネクタ４１は、コネクタ１９のソケット２１すなわち雄ソケットの進入を受け入れる雌ソケット４２を備える。雌コネクタ４１がコネクタ１９に押し付けられると、コネクタ１９は雌コネクタ４１に進入していく。雌ソケット４２内の導電ピン（図示されず）はソケット２１内のピン受け穴２３に進入していく。その結果、雌コネクタ４２の導電ピンすなわち電極はコネクタ１９の電極に接続される。
【００２９】
雌コネクタ４１が完全に押し込まれると、雌ソケット４２の先端は平坦面３２に受け止められる。その結果、雌コネクタ４１のシェル４３は六角ボルト２４のねじ頭２５に受け止められる。雌コネクタ４１のシェル４３には１対の雄ねじ４４が組み込まれる。これらの雄ねじ４４は六角ボルト２４のねじ頭２５にねじ込まれることができる。こうして雌コネクタ４１の離脱は確実に防止されることができる。このとき、図５から明らかなように、平坦面３２から突き出る六角ボルト２４の高さは、同様に平坦面３２から突き出るソケット２１の高さに合わせ込まれる。したがって、ソケット２１、４２同士は確実に接続されることができる。その一方で、平坦面３２よりも高い位置から六角ボルト２４が突き出ると、雌ソケット４２の先端が平坦面３２まで到達する以前に雌コネクタ４１のシェル４３は六角ボルト２４のねじ頭２５に衝突する。その結果、雌ソケット４２内の導電ピンは十分にソケット２１内のピン受け穴２３に進入していくことができない。接続不良が懸念されてしまう。
【００３０】
コネクタ１９の取り付けにあたって、六角ボルト２４はコネクタ本体３４の雌ねじ３６にねじ込まれる。六角ボルト２４が雌ねじ３６に十分にねじ込まれると、六角ボルト２４とコネクタ本体３４との間に本体筐体１２の外壁は挟み込まれる。こうしてコネクタ１９は六角ボルト２４の働きで強固に本体筐体１２に固定されることができる。このとき、六角ボルト２４のねじ頭２５は環状溝２９の内側で平坦面３２に受け止められる。たとえねじ頭２５の回転に基づき平坦面３２に擦り傷が形成されても、こういった擦り傷はねじ頭２５に完全に覆われる。擦り傷の露出は確実に回避される。しかも、環状溝２９の働きで、六角ボルト２４の回転中にねじ頭２５の外縁と本体筐体１２の外表面との接触は確実に回避されることができる。したがって、ねじ頭２５の外縁に基づく擦り傷の発生は阻止されることができる。こうして六角ボルト２４の装着にも拘わらず、本体筐体１２の見栄えは良好に維持されることができる。
【００３１】
その他、例えば図８に示されるように、本発明はボルト４５およびナット４６で結合される第１および第２部材４７、４８に適用されることができる。第１および第２部材４７、４８には同軸に円柱形の取り付け孔すなわち貫通孔４９、５１が穿たれる。貫通孔４９、５１にはボルト４５の軸部が受け入れられる。ボルト４５のねじ頭５２は、第１部材４５上で貫通孔４９の開口から外側に広がる平坦面５３に受け止められる。同様に、ナット４６は、第２部材４６上で貫通孔５１の開口から外側に広がる平坦面５４に受け止められる。ボルト４５のねじ頭５２やナット４６は、軸部材すなわち軸部の軸心から遠心方向に突き出る鍔部材を構成する。第１および第２部材４７、４８はボルト４５のねじ頭５２とナット４６との間に挟み込まれる。こうして第１および第２部材４５、４６は相互に結合される。
【００３２】
平坦面５３、５４には、前述と同様に、貫通孔４９、５１の周囲で環状の窪みすなわち環状溝５５、５６が形成される。環状溝５５、５６は、前述の環状溝２９と同様に、軸部の軸心回りにボルト４５のねじ頭５２やナット４６の外縁で描かれる環状軌跡の内縁の内側からその環状軌跡の外縁の外側まで広がる。こうしてねじ頭５１やナット４６の外縁と第１部材４５や第２部材４６との接触は完全に回避される。なお、こういった環状溝５５、５６は第１および第２部材４５、４６のいずれか一方に形成されてもよい。
【００３３】
（付記１）  雄ねじ部材の軸部の進入を受け入れる取り付け孔と、取り付け孔の開口から外側に向かって広がる平坦面と、この平坦面に形成され、軸部の軸心回りに雄ねじ部材のねじ頭の外縁で描かれる環状軌跡の内側からその環状軌跡の外側まで広がる窪みとが区画されることを特徴とする部材。
【００３４】
（付記２）  付記１に記載の部材において、前記窪みは前記軸心回りに環状に延びることを特徴とする部材。
【００３５】
（付記３）  付記２に記載の部材において、前記窪みの外側で前記平坦面に穿たれて、前記雄ねじ部材に基づき固定されるコネクタの進入を受け入れる受け入れ口をさらに備えることを特徴とする部材。
【００３６】
（付記４）  ねじ頭を受け止める平坦面と、ねじ頭の外縁に沿って平坦面に形成される環状溝とが区画されることを特徴とする部材。
【００３７】
（付記５）  少なくとも部分的に雄ねじを有する軸部材の進入を受け入れる取り付け孔と、取り付け孔の開口から外側に向かって広がる平坦面と、この平坦面に形成され、軸部材から遠心方向に突き出る鍔部材の外縁に基づき軸部材の軸心回りに描かれる環状軌跡の内側からその環状軌跡の外側まで広がる窪みとが区画されることを特徴とする部材。
【００３８】
（付記６）  付記５に記載の部材において、前記窪みは前記軸心回りに環状に延びることを特徴とする部材。
【００３９】
（付記７）  少なくとも部分的に雄ねじを有する軸部材の進入を受け入れる取り付け孔と、取り付け孔の開口から外側に向かって広がり、軸部材から遠心方向に突き出る鍔部材を受け止める平坦面と、鍔部材の外縁に沿って平坦面に形成される環状溝とが区画されることを特徴とする部材。
【００４０】
（付記８）  雄ねじと、雄ねじの軸部を受け入れる取り付け孔を区画し、取り付け孔の開口から外側に向かって広がる平坦面で雄ねじのねじ頭を受け止める筐体と、少なくとも部分的に筐体の内側に配置され、雄ねじの軸部を受け入れる雌ねじを有する組み込み部品とを備え、筐体の平坦面には、軸部の軸心回りに雄ねじ部材のねじ頭の外縁で描かれる環状軌跡の内側からその環状軌跡の外側まで広がる窪みが形成されることを特徴とする電子機器。
【００４１】
（付記９）  付記８に記載の電子機器において、前記窪みは前記軸部の軸心回りに環状に延びることを特徴とする電子機器。
【００４２】
（付記１０）  付記９に記載の電子機器において、前記筐体には、前記窪みの外側で前記平坦面に穿たれて、前記組み込み部品の進入を受け入れる受け入れ口が区画されることを特徴とする電子機器。
【００４３】
（付記１１）  筐体と、筐体の平坦面にねじ込まれて、筐体の平坦面で受け止められるねじ頭を区画する雄ねじと、ねじ頭の外縁に沿って平坦面に形成される環状溝とを備えることを特徴とする電子機器。
【図面の簡単な説明】
【００４４】
【図１】本発明の一実施形態に係る電子機器すなわちノートブックパーソナルコンピュータの外観を概略的に示す斜視図である。
【図２】ノートブックパーソナルコンピュータの本体筐体に組み込まれたコネクタの正面図である。
【図３】コネクタの正面図であって、穴付き六角ボルトが取り外された状態を示す図である。
【図４】環状溝の形状を概略的に示す平面図である。
【図５】図２の５−５線に沿った断面図である。
【図６】図２の６−６線に沿った断面図である。
【図７】コネクタの動作を説明する平面図である。
【図８】ボルトおよびナットで結合される第１および第２部材を示す垂直断面図である。
【符号の説明】
【００４５】
１１  電子機器（ノートブックパーソナルコンピュータ）、１２  部材（本体筐体）、１９  コネクタ（組み込み部品）、２４  雄ねじ部材（穴付き六角ボルト）、２５  ねじ頭（鍔部材）、２８  取り付け孔（貫通孔）、２９  窪み（環状溝）、３１  環状軌跡、３２  平坦面、３３  受け入れ口、４５  雄ねじ部材（ボルト）、４６  鍔部材（ナット）、４７  部材、４８  部材、４９  取り付け孔（貫通孔）、５１  取り付け孔（貫通孔）、５２  鍔部材（ねじ頭）、５３  平坦面、５４  平坦面、５５  窪み（環状溝）、５６  窪み（環状溝）、ＣＸ  軸心。
【図１】
2006037994.tif 000003
【図２】
2006037994.tif 000004
【図３】
2006037994.tif 000005
【図４】
2006037994.tif 000006
【図５】
2006037994.tif 000007
【図６】
2006037994.tif 000008
【図７】
2006037994.tif 000009
【図８】
2006037994.tif 000010